(57)【要約】【課題】  シール性を犠牲にすることなく、戸先側シール部材および吊元側シール部材の耐久性を向上させることができる建具を提供することを課題とする。【解決手段】  建具枠２に対しラッチ８８付きの障子３が開き戸形式で開閉する建具１において、戸先縦框２３と戸先側縦枠１３との間をシールする戸先側シール部材８９と、吊元縦框２４と吊元側縦枠１４との間をシールする吊元側シール部材５９と、を見込み方向の浴室Ａ側に備え、戸先側シール部材８９は、戸先縦框２３に装着され先端部を戸先側縦枠１３に密接し、吊元側シール部材５９は、吊元側縦枠１４に装着され先端部を吊元縦框２４に密接している。【選択図】  図２
2005350952.tif 000002
【特許請求の範囲】
【請求項１】
建具枠に対しラッチ付きの障子が開き戸形式で室外側に開閉する建具において、
戸先縦框とこれに対峙する戸先側縦枠との間をシールする戸先側シール部材と、
吊元縦框とこれに対峙する吊元側縦枠との間をシールする吊元側シール部材と、を前記ラッチに対し見込み方向の室外側に備え、
前記戸先側シール部材は、前記戸先縦框に装着され先端部を前記戸先側縦枠に密接し、
前記吊元側シール部材は、前記吊元側縦枠に装着され先端部を前記吊元縦框に密接していることを特徴とする建具。
【請求項２】
前記戸先側縦枠は、前記戸先側シール部材の先端部が前記室外側から密接すると共に、先端膨出形状に形成されたシール受け突起を有していることを特徴とする請求項１に記載の建具。
【請求項３】
前記戸先側縦枠には、前記ラッチに対応するラッチ受けが見付け方向に突出するように設けられ、
前記シール受け突起は、前記ラッチ受けから見込み方向の前記室外側に外れた近傍位置に配設されていることを特徴とする請求項２に記載の建具。
【請求項４】
前記障子の閉塞動作時における前記ラッチの乗上げ斜面が、前記シール受け突起の先端部および前記ラッチ受けの前記室外側の先端部にほぼ同時に乗り上げるように、前記シール受け突起および前記ラッチ受けが配設されていることを特徴とする請求項３に記載の建具。
【請求項５】
前記吊元側縦枠は、前記吊元側シール部材が銜込み状態で装着されると共に、先端膨出形状に形成されたシール装着突起を有していることを特徴とする請求項１ないし４のいずれかに記載の建具。
【請求項６】
前記シール受け突起と前記シール装着突起とは、同一断面形状に形成され且つ対向位置に配設されていることを特徴とする請求項５に記載の建具。
【請求項７】
前記吊元側シール部材は、基部側の硬質樹脂部と先端側の軟質樹脂部とで一体に成形され、
前記硬質樹脂部には、前記吊元側シール部材を前記シール装着突起に後付けで装着するための略鍵穴状の装着溝が形成されていることを特徴とする請求項５または６に記載の建具。
【発明の詳細な説明】
【技術分野】
【０００１】
本発明は、主として浴室やシャワー室等の水場に設けられるドアや、屋外に面して設けられる開き窓等の建具に関するものである。
【背景技術】
【０００２】
従来、この種の建具として、浴室ドアに適用したものが知られている。この浴室ドアでは、ドア本体（框戸）の左右の縦框とこれに対峙するドア枠の左右の縦枠との間において、浴室側には左右対称を為すように一対の浴室側縦シール部材が介設され、また脱衣室側には左右対称を為すように一対の脱衣室側縦シール部材が介設されている。すなわち、ドア枠とドア本体との間が、浴室側と脱衣室側とで２重にシールされている。
この場合、各浴室側縦シール部材は、各縦枠の浴室側に形成したあり溝状のシール装着部に装着され、その先端部を前記各縦框の浴室側部分に密接している。同様に、各脱衣室側縦シール部材は、各縦枠の脱衣室側に形成したあり溝状のシール装着部に装着され、その先端部を前記各縦框の脱衣室側部分に密接している。
【特許文献１】特開２００１−１４６８４９号公報
【発明の開示】
【発明が解決しようとする課題】
【０００３】
このような従来の建具では、特に一対の浴室側縦シール部材において、吊元側の浴室側縦シール部材は縦枠に装着されているため、縦框に装着される場合に比して、その先端部のドア本体の開閉に伴う極端な変形が抑制され、耐久性を十分に維持することができる。しかし、縦枠に装着されている戸先側の浴室側縦シール部材は、ドア本体の開閉に伴いドア本体のドアラッチが毎回乗り越えるため、きわめて耐久性が劣る問題が生ずる。このため、実際のものでは、この部分のシール性を犠牲にして、ドアラッチに対応する浴室側縦シール部材の部分を切り欠くようにしている。
【０００４】
本発明は、シール性を犠牲にすることなく、戸先側シール部材および吊元側シール部材の耐久性を向上させることができる建具を提供することを課題とする。
【課題を解決するための手段】
【０００５】
本発明の建具は、建具枠に対しラッチ付きの障子が開き戸形式で室外側に開閉する建具において、戸先縦框とこれに対峙する戸先側縦枠との間をシールする戸先側シール部材と、吊元縦框とこれに対峙する吊元側縦枠との間をシールする吊元側シール部材と、をラッチに対し室外側に備え、戸先側シール部材は、戸先縦框に装着され先端部を戸先側縦枠に密接し、吊元側シール部材は、吊元側縦枠に装着され先端部を吊元縦框に密接していることを特徴とする。
【０００６】
この構成によれば、室外側に備えた戸先側シール部材および吊元側シール部材において、戸先側シール部材を戸先縦框に装着することにより、障子の開閉に際し、ラッチが戸先側シール部材を乗り越える構造を回避することができる。また、吊元側シール部材を吊元側縦枠に装着することにより、障子の開閉に際し、吊元側シール部材が過度に変形を繰り返す構造を回避することができる。なお、この場合の室外側とは、主として室内側に対し屋外側および水場側を意味している。
【０００７】
この場合、戸先側縦枠は、戸先側シール部材の先端部が室外側から密接すると共に、先端膨出形状に形成されたシール受け突起を有していることが、好ましい。
【０００８】
この構成によれば、戸先側シール部材の先端部とシール受け突起との有効接触面積を維持しつつ、戸先側シール部材のシール受け突起への密接力を大きくすることができる。
【０００９】
この場合、戸先側縦枠には、ラッチに対応するラッチ受けが見付け方向に突出するように設けられ、シール受け突起は、ラッチ受けから見込み方向の室外側に外れた近傍位置に配設されていることが、好ましい。
【００１０】
さらに、障子の閉塞動作時におけるラッチの乗上げ斜面が、シール受け突起の先端部およびラッチ受けの室外側の先端部にほぼ同時に乗り上げるように、シール受け突起およびラッチ受けが配設されていることが、好ましい。
【００１１】
この構成によれば、障子の閉塞時において、ラッチがラッチ受けの縁部を乗越えてその溝部に落ち込む係合動作に際し、シール受け突起が邪魔になることがなく、係合動作を円滑に行わせることができる。
【００１２】
これらの場合、吊元側縦枠は、吊元側シール部材が銜込み状態で装着されると共に、先端膨出形状に形成されたシール装着突起を有していることが、好ましい。
【００１３】
この構成によれば、シール装着突起に対し吊元側シール部材を後付けで簡単に装着することができると共に吊元側シール部材を簡単に交換することができる。また、シール装着突起は、あり溝形式のものに比して見込み方向の寸法を小さくすることができるため、吊元側縦枠を躯体側に固定するためのビス位置等の自由度を維持することができる。
【００１４】
この場合、シール受け突起とシール装着突起とは、同一断面形状に形成され且つ対向位置に配設されていることが、好ましい。
【００１５】
この構成によれば、シール受け突起およびシール装着突起が、戸先側縦枠および吊元側縦枠を同一断面形状とすることの阻害要因となることがない。
【００１６】
これらの場合、吊元側シール部材は、基部側の硬質樹脂部と先端側の軟質樹脂部とで一体に成形され、硬質樹脂部には、吊元側シール部材をシール装着突起に後付けで装着するための略鍵穴状の装着溝が形成されていることが、好ましい。
【００１７】
この構成によれば、シール性を損なうことなく且つシール装着突起に対する吊元側シール部材を後付け装着を許容しつつ、吊元側シール部材が簡単に脱落してしまうのを防止することができる。
【発明の効果】
【００１８】
以上のように本発明の建具によれば、障子の開閉に際し、ラッチが戸先側シール部材を乗り越える構造を回避することができると共に、吊元側シール部材が過度に変形を繰り返す構造を回避することができるため、両シール部材によるシール性を犠牲にすることなく、両シール部材の耐久性を向上させることができる。したがって、安定したシール性能を発揮する建具を提供することができる。
【発明を実施するための最良の形態】
【００１９】
以下、添付図面を参照して、本発明の一実施形態に係る建具を浴室ドアに適用した場合について説明する。この浴室は、脱衣室との間にほぼ段差を無くした（実際には３ｍｍの段差がある）バリアフリー設計となっており、ユニットバスで構成した浴室（室外）と脱衣室（室内）との間の出入口に、浴室ドアが取り付けられている。図１は浴室ドアの縦断面図、図２はその横断面図であり、両図に示すように、浴室ドア１は、出入口開口部を構成するドア枠（建具枠）２と、上下のヒンジピン（上ヒンジピン４ａおよび下ヒンジピン４ｂ）４により、ドア枠２に開閉自在に支持された障子である扉体３と、で構成されている。下ヒンジピン４ｂは、いわゆるグラビティヒンジで構成されており、扉体３は、開放の初期動作において、徐々に上昇しながら開放され、また閉塞の終期動作において、徐々に下降しながら閉塞される。
【００２０】
ドア枠２は、それぞれアルミニウムの形材等で形成した上枠１１、下枠１２、戸先側縦枠１３および吊元側縦枠１４を方形に枠組みして、構成されている。一方、扉体３は、それぞれアルミニウムの形材等で形成した上框２１、下框２２、戸先縦框２３および吊元縦框２４を方形に框組みし、これに樹脂製のパネル体２５を装着して、構成されている。そして、ユニットバスの防水パン５で構成される浴室床６と、ドア枠２１の下枠３２と、脱衣室Ｂの脱衣室床７とはほぼ面一に、すなわち段差が生じないように配設されている。
【００２１】
上枠１１は、浴室Ａ側の上枠鉛直片３２および上枠鉛直片３２の下端から脱衣室Ｂ側に延びる上枠水平片３３とから成る上枠本体３１と、上枠水平片３３の見込み方向中間部に下向き「Ｃ」字状に形成したヒンジ取付溝３４と、上枠水平片３３の脱衣室Ｂ側の端部を水平に延設した上枠見切り片３５と、上枠水平片３３の脱衣室Ｂ側の端部から下方に延びる上枠シール取付片３６と、で一体に形成されている。そして、ヒンジ取付溝３４には、上ヒンジピン（上固定ピース４ａａ）４ａが見付け方向に位置調節可能に取り付けられている。また、上枠シール取付片３６には、上框２１の脱衣室Ｂの見付け面に密接する上枠シール部材３７が装着されている。
【００２２】
下枠１２は、浴室Ａ側を防水パン５の支持片部５ａに載置されると共に、上面の浴室側半部を傾斜面４１ａとした中空形状の下枠本体４１と、下枠本体４１の上端から脱衣室Ｂ側に延びる下枠シール取付片４２と、下枠シール取付片４２から更に脱衣室Ｂ側に延設された下枠見切り片４３と、で一体に形成されている。そして、下枠シール取付片４２には、後述する下框シール部材７７の脱衣室Ｂ側に密接する下枠シール部材４４が斜め上向きに装着されている。また、下枠本体４１の吊元側には、ブロック状に形成した下ヒンジピン（下固定ピース４ｂａ）４ｂが取り付けられている。なお、上ヒンジピン４ａおよび下ヒンジピン４ｂは、吊元縦框２４の見込み方向の中間位置より浴室Ａ側に寄った位置（偏心位置）に配設されている。また、下枠本体４１の先端側と防水パン５の支持片部５ａとの間には、図示しないがコーキング等によりシールが為されている。
【００２３】
一方、戸先側縦枠１３は、見込み方向に長い方形の中空部５２と中空部５２の内板を延長した平板片５３とを有する縦枠本体５１と、縦枠本体５１の脱衣室Ｂ側の端部を見込み方向に延設した縦枠見切り片５４と、中空部５２の内側に突設したシール受け突起５５ａと、縦枠見切り片５４の基部から内側の延びる縦枠シール取付片５６とで、一体に形成されている。そして、縦枠シール取付片５６には、戸先縦框２３に密接する二股形状の縦枠シール部材５７が装着され、シール受け突起５５には、後述する戸先縦框２３の戸先側シール部材８９が密接するようになっている。また、縦枠本体５１の内側には、シール受け突起５５ａから脱衣室Ｂ側に外れた位置に、樹脂製のラッチ受け５８が取り付けられている。
【００２４】
同様に、吊元側縦枠１４は、見込み方向に長い方形の中空部５２と中空部５２の内板を延長した平板片５３とを有する縦枠本体５１と、縦枠本体５１の脱衣室Ｂ側の端部を見込み方向に延設した縦枠見切り片５４と、中空部５２の内側に突設したシール装着突起５５ｂと、縦枠見切り片５４の基部から内側の延びる縦枠シール取付片５６とで、一体に形成されている。この場合、吊元側縦枠１４と戸先側縦枠１３とは同一の断面形状を有し、左右対称となるように配設されている。そして、縦枠シール取付片５６には、吊元縦框２４に密接する二股形状の縦枠シール部材５７が装着され、シール装着突起５５ｂには、吊元側シール部材５９が装着されている。
【００２５】
一方、上框２１は、方形中空形状の上框本体６１と、上框本体６１の上側に連なる上向き開放部６２と、上框本体６１の下側に連なる上框パネル装着部６３と、で一体に形成されている。上向き開放部６２には、樹脂製のキャップ状部材６４が装着され、上框パネル装着部６３には、ガスケットを介してパネル体２５の上縁部が装着されている。
【００２６】
下框２２は、開閉機構７２を組み込んだ上下２連の換気口７３，７３を形成した下框本体７１と、下框本体７１の上側に連なる下框パネル装着部７４と、下框本体７１の下側に連なる下向き開放部７５と、下向き開放部７５の下端部に形成した前後（見込み方向）一対の下框シール取付部７６，７６と、で一体に形成されている。下框パネル装着部７４には、ガスケットを介してパネル体２５の下縁部が装着され、両下框シール取付部７６，７６には、下框シール部材７７が装着されている。この下框シール部材７７は、上向き且つ略「Ｃ」字状断面の偏平なシール部材本体７７ａと、シール部材本体７７ａの浴室Ａ側から下垂した長シール片７７ｂと、シール部材本体７７ａの脱衣室Ｂ側から下垂した短シール片７７ｃとから成り、シール部材本体７７ａを硬質樹脂とし長シール片７７ｂおよび短シール片７７ｃを軟質樹脂として、いわゆる２色成形で一体に形成されている。そして、長シール片７７ｂは、下枠１２の浴室Ａ側（傾斜面４１ａの部分）に密接し、短シール片７７ｃは、下枠１２の脱衣室Ｂ側（下枠シール取付片４２の近傍部分）に密接するようになっている。
【００２７】
戸先縦框２３は、略方形中空形状の戸先縦框本体８１と、戸先縦框本体８１の見付け方向内側に連なる縦框パネル装着部８２と、戸先縦框本体８１の見付け方向内側に連なる浴室Ａ側の縦框シール取付部８３および縦框シール受け部８４と、で一体に形成されている。戸先縦框本体８１の浴室Ａ側の見付け面には内ハンドル８５が、脱衣室Ｂ側の見付け面には外ハンドル８６がそれぞれ取り付けられている。また、戸先縦框本体８１の中空部内には、内外両ハンドル８５，８６によって操作されるドア錠８７およびドアラッチ８８が組み込まれている。一方、縦框シール取付部８３には、上記のシール受け突起５５ａに浴室Ａ側から密接する戸先側シール部材８９が装着され、縦框シール受け部８４には、上記の縦枠シール部材５７が密接するようになっている。さらに、縦框パネル装着部８２には、ガスケットを介してパネル体２５の一方の側縁部が装着されている。
【００２８】
吊元縦框２４は、見付け方向外側の２つの隅部を円弧状に形成した略方形中空形状の吊元縦框本体９１と、吊元縦框本体９１の見付け方向内側に連なる縦框パネル装着部９２と、で一体に形成されている。吊元縦框本体９１の上端部に上ピンヒンジ４ａの上可動ピース４ａｂが組み込まれ、下端部に下ピンヒンジ４ｂの下可動ピース４ｂｂが組み込まれている。また、吊元縦框２４の上端部には、上可動ピース４ａｂのピンを下動させて上固定ピース４ａａから離脱させる離脱機構９３が組み込まれている。そして、吊元縦框本体９１の浴室Ａ側の円弧状部分９１ａには上記の吊元側シール部材５９が密接し、脱衣室Ｂ側の円弧状部分９１ｂには上記の縦枠シール部材５７が密接するようになっている。
【００２９】
このように、ドア枠２と扉体３の間にあって、見込み方向の脱衣室Ｂ側では、上枠シール部材３７、下枠シール部材４４、短シール片７７ｃおよび両縦枠シール部材５７，５７により、四周に亘ってシールが行われ、浴室Ａ側では、長シール片７７ｂ、戸先側シール部材８９および吊元側シール部材５９により、「Ｕ」字状にシールが行われるようになっている。この場合、特に下枠１２と下框２２との間は、長シール片７７ｂ、短シール片７７ｃおよび下枠シール部材４４により３重にシールされている。
【００３０】
ここで、図３および図４を参照して、戸先側縦枠１３と戸先縦框２３との間および吊元側縦枠１４と吊元縦框２４との間のシール構造について、詳細に説明する。上述したように、戸先側縦枠１３と戸先縦框２３との間の脱衣室Ｂ側においては、戸先縦框２３および吊元縦框２４にそれぞれ密接する両縦枠シール部材５７，５７によりシールが行われ、浴室Ａ側においては、戸先縦框２３および戸先側縦枠１３のシール受け突起５５ａにそれぞれ密接する戸先側シール部材８９および吊元側シール部材５９によりシールが行われる。
【００３１】
戸先側シール部材８９が装着される縦框シール取付部８３は、斜め脱衣室Ｂ側に開放部位を有する断面略円形の装着溝部８３ａを有している。また、戸先側シール部材８９が密接する戸先側縦枠１３のシール受け突起５５ａは、先端部が円形膨出形状、より具体的には断面鍵穴形状に形成されている。また、シール受け突起５５ａは、閉塞状態の扉体（戸先縦框２３）３の浴室Ａ側の見付け面より幾分浴室Ａ側となる位置に配設されている。すなわち、ラッチ受け５８に対しシール受け突起５５ａは、見込み方向の浴室Ａ側に外れた近傍位置に配設されている。より具体的には、シール受け突起５５ａの先端部の突出寸法、ラッチ受け５８の突出寸法および両者の近接状態により、扉体３の閉塞動作時におけるドアラッチ８８の乗上げ斜面８８ａが、シール受け突起５５ａの先端部およびラッチ受け５８の浴室Ａ側端部にほぼ同時に乗り上げるようになっている（同図の仮想線参照）。これにより、ドアラッチ８８のラッチ受け５８への係合が円滑に行われるようになっている。
【００３２】
一方、戸先側シール部材８９は、上記の装着溝部８３ａに挿入・装着される円形部位１０１ａおよび円形部位１０１ａから溝縁部に沿って脱衣室側に屈曲して延びるコ字状部位１０１ｂから成る装着部１０１と、コ字状部位１０１ｂからシール受け突起５５ａに向かって湾曲するようにして延びる接触片１０２ａおよび接触片１０２ａの基部に突設したボス部位１０２ｂとから成る接触部１０２と、で一体に形成されている。接触片１０２ａは、先端に向かって徐々に薄肉になるように形成され、ボス部１０２ｂは、接触片１０２ａがシール受け突起５５ａに強く接触するように、縦框シール取付部８３の外面に接触すると共に接触部１０２の基部側に剛性を持たせるようにしている。そして、装着部１０１は硬質の樹脂で構成され、接触部１０２は軟質の樹脂で構成されており、これらはいわゆる２色成形により一体に形成されている。扉体３を閉塞した状態で、戸先側シール部材８９は、自由状態から逆反り方向にわずかに変形し、シール受け突起５５ａに浴室Ａ側から強く密接する。
【００３３】
吊元側シール部材５９が装着されるシール装着突起５５ｂは、上記のシール受け突起５５ａと同一の形態（断面鍵穴形状）を有し且つ見込み方向において同位置に配設されている。このように、吊元側シール部材５９が装着される部分を、一般的なあり溝ではなく鍵穴状の突起であるシール装着突起５５ｂにすることにより、シール装着突起５５ｂ自体を見込み方向に短い寸法で形成することができる。これにより、吊元側縦枠１４をユニットバスに固定する固定ビスＣの螺合位置（見込み方向の位置）の自由度を高めることができる。
【００３４】
吊元側シール部材５９は、吊元縦框２４の浴室Ａ側の円弧状部分９１ａに密接する。また、吊元側シール部材５９は、シール装着突起５５ｂと略相補的形状を為す装着溝１０４ａを有する略直角三角形断面の基部装着部１０４と、基部装着部１０４から吊元縦框２４に向かって略「ヘ」字状に屈曲して延びる接触片部１０５と、で一体に形成されている。吊元側シール部材５９は、先付けで装着される戸先側シール部材８９と異なり、後付で装着可能に構成されているため、銜込み状態で装着される上記の装着溝１０４ａはその開放端部が面取りされている（略鍵穴形状）。すなわち、吊元側シール部材５９は、この面取り部分を案内にしてシール装着突起５５ｂにその正面から着脱自在に装着される。
【００３５】
また、接触片部１０５は、先端に向かって徐々に薄肉になるように形成されている。そして、この場合も、基部装着部１０４は硬質の樹脂で構成され、接触片部１０５は軟質の樹脂で構成されており、これらはいわゆる２色成形により一体に形成されている。扉体３を閉塞した状態で、吊元側シール部材５９は、自由状態から逆反り方向にわずかに変形し、吊元縦框２４の円弧状部分に浴室Ａ側から強く密接する（同図の仮想線参照）。
【００３６】
以上のように、本実施形態によれば、見込み方向の浴室Ａ側に配設した戸先側シール部材８９および吊元側シール部材５９において、戸先側シール部材８９を戸先縦框２３に装着することにより、扉体３の開閉に際し、ドアラッチ５８が戸先側シール部材８９を乗り越えることのない構造とすることができる。また、吊元側シール部材５９を吊元側縦枠１４に装着することにより、扉体３の開閉に際し、吊元側シール部材５９が過度に変形を繰り返すことのない構造とすることができる。したがって、良好なシール性を維持しつつ、戸先側シール部材８９および吊元側シール部材５９の耐久性を向上させることができる。
【００３７】
また、シール装着突起５５ｂを鍵穴形状とし、これに吊元側シール部材５９を装着するようにしているため、吊元側シール部材５９の装着は元より、交換を簡単に行うことができる。さらに、シール受け突起５５ａとシール装着突起５５ｂとを同一の断面形状とし、且つこれらを左右対称位置に設けるようにしているため、上記両シール部材５９，８９の取付け形態が異なっても、戸先側縦枠１３と吊元側縦枠１４とを同一の断面形状とすることができる。
【００３８】
なお、本発明の戸先側シール部材および吊元側シール部材の形態は、上記実施形態のものに限定されるものではない。また、本発明は、浴室ドアの他、シャワー室等の水場のドアにも適用可能であると共に、開き窓等の屋外に面した建具にも適用可能である。
【図面の簡単な説明】
【００３９】
【図１】本発明の実施形態に係る浴室ドア（浴室建具）の縦断面図である。
【図２】実施形態に係る浴室ドアの横断面図である。
【図３】戸先縦框廻りの拡大横断面図である。
【図４】吊元縦框廻りの拡大横断面図である。
【符号の説明】
【００４０】
１  浴室ドア、２  ドア枠、３  扉体、１３  戸先側縦枠、１４  吊元側縦枠、２３  戸先縦框、２４  吊元縦框、５５ａ  シール受け突起、５５ｂ  シール装着突起、５８  ラッチ受け、５９  吊元側シール部材、８３  縦框シール取付部、８３ａ  装着溝部、８８  ドアラッチ、８８ａ  乗上げ斜面、８９  戸先側シール部材、１０４ａ  装着溝、Ａ  浴室、Ｂ  脱衣室
【図１】
2005350952.tif 000003
【図２】
2005350952.tif 000004
【図３】
2005350952.tif 000005
【図４】
2005350952.tif 000006